(57)【要約】【課題】  医療現場における医師が最新技術を身につけた遠隔地に所在する医師の支援をリアルタイムに受けることができ、且つ支援を行う医師に診療コンテンツをリアルタイムに配信することができるようにする。【解決手段】  メディカルライト端末１０から手術ヘルプ要請を受信すると、ＤＨサーバ５０は、所定の条件に合致するドメスティック／ワールドワイドドクタを自動検索する。そして、ＤＨサーバ５０は、手術ヘルプ依頼を通信ネットワーク１００を介してＤ端末２０／Ｗ端末３０に送信する。メディカルライト端末１０とＤ端末２０／Ｗ端末３０との間でセッションを確立すると、メディカルライト端末１０は、患者の立体画像および音声データを含む手術コンテンツを、通信ネットワーク１００を介してＤ端末２０／Ｗ端末３０に送信する。【選択図】  図１
2005173785.tif 000002
【特許請求の範囲】
【請求項１】
医師が使用する医師端末から、診療中の画像および音声データを含む診療コンテンツを、前記診療を支援する医師である支援医師が使用する支援端末に配信する診療コンテンツ配信システムであって、
支援医師を検索して支援端末に診療の支援を依頼する支援依頼サーバを含み、
前記支援依頼サーバは、
前記医師端末から診療の支援の要請する支援要請を受信した場合に、複数の支援医師のうち、所定の条件に合致する一または複数の支援医師を選択する支援医師選択手段と、
選択した支援医師が使用する支援端末に、通信ネットワークを介して、前記診療の支援を依頼する旨の支援依頼を送信する支援依頼送信手段とを備え、
前記支援端末は、前記支援依頼を受信した場合に、支援医師が前記診療の支援が可能である旨を通知する支援可能通知を、通信ネットワークを介して前記医師端末に送信する支援可能通知送信手段を備え、
前記医師端末は、前記支援可能通知を送信した前記支援端末に、通信ネットワークを介して診療コンテンツを送信する診療コンテンツ送信手段を備えた
ことを特徴とする診療コンテンツ配信システム。
【請求項２】
支援依頼サーバは、予め支援医師名と専門分野とを対応づけて記憶する支援医師情報記憶手段を備え、
医師端末は、支援対象の専門分野を含む支援要請を、通信ネットワークを介して支援依頼サーバに送信する支援要請送信手段を備え、
支援医師選択手段は、複数の支援医師のうち、前記支援要請に含まれる専門分野が、前記支援医師情報記憶手段が記憶する専門分野と一致する支援医師を選択する
請求項１記載の診療コンテンツ配信システム。
【請求項３】
支援医師情報記憶手段は、専門分野に加えて、予め支援医師名と勤務時間とを対応づけて記憶し、
支援医師選択手段は、複数の支援医師のうち、支援要請に含まれる専門分野が前記支援医師情報記憶手段が記憶する専門分野と一致し、現在の時刻が前記支援医師情報記憶手段が記憶する勤務時間に含まれる支援医師を選択する
請求項２記載の診療コンテンツ配信システム。
【請求項４】
支援医師選択手段は、所定の条件に合致する日本国内の支援医師が存在しない場合には、前記所定の条件に合致する海外の一または複数の支援医師を選択する請求項１記載の診療コンテンツ配信システム。
【請求項５】
支援依頼サーバは、
予め日本国内の支援医師名と専門分野とを対応づけて記憶する国内支援医師情報記憶手段と、
予め海外の支援医師名と専門分野とを対応づけて記憶する海外支援医師情報記憶手段とを備え、
医師端末は、支援対象の専門分野を含む支援要請を、通信ネットワークを介して支援依頼サーバに送信する支援要請送信手段を備え、
支援医師選択手段は、
複数の日本国内の支援医師のうち、前記支援要請に含まれる専門分野が、前記国内支援医師情報記憶手段が記憶する専門分野と一致する日本国内の支援医師を選択し、
前記国内支援医師情報記憶手段が記憶する専門分野と一致する日本国内の支援医師が存在しない場合には、前記支援要請に含まれる専門分野が、前記海外支援医師情報記憶手段が記憶する専門分野と一致する海外の支援医師を選択する
請求項４記載の診療コンテンツ配信システム。
【請求項６】
国内支援医師情報記憶手段は、専門分野に加えて、予め日本国内の支援医師名と勤務時間とを対応づけて記憶し、
海外支援医師情報記憶手段は、専門分野に加えて、予め海外の支援医師名と勤務時間とを対応づけて記憶し、
支援医師選択手段は、
複数の日本国内の支援医師のうち、支援要請に含まれる専門分野が前記国内支援医師情報記憶手段が記憶する専門分野と一致し、現在の時刻が前記国内支援医師情報記憶手段が記憶する勤務時間に含まれる日本国内の支援医師を選択し、
前記国内支援医師情報記憶手段が記憶する専門分野と一致し、現在の時刻が前記国内支援医師情報記憶手段が記憶する勤務時間に含まれる日本国内の支援医師が存在しない場合には、複数の海外の支援医師のうち、支援要請に含まれる専門分野が前記海外支援医師情報記憶手段が記憶する専門分野と一致し、現在の時刻が前記海外支援医師情報記憶手段が記憶する勤務時間に含まれる海外の支援医師を選択する
請求項５記載の診療コンテンツ配信システム。
【請求項７】
医師端末は、
日本語の音声データを外国語の音声データに変換し、外国語の音声データを日本語の音声データに変換する音声変換手段と、
前記音声変換手段が日本語に変換した音声データにもとづいて、日本語の音声を出力する音声出力手段とを備え、
診療コンテンツ送信手段は、前記音声変換手段が外国語に変換した音声データを含む診療コンテンツを、海外の支援医師が使用する支援端末に送信する
請求項５または請求項６記載の診療コンテンツ配信システム。
【請求項８】
医師端末は、診療中の患者の立体画像を撮影する立体画像撮影手段を備え、
診療コンテンツ送信手段は、前記立体画像を含む診療コンテンツを送信する
請求項１から請求項７のうちのいずれか１項に記載の診療コンテンツ配信システム。
【請求項９】
医師が使用する医師端末から、診療中の画像および音声データを含む診療コンテンツを、前記診療を支援する医師である支援医師が使用する支援端末に配信する診療コンテンツ配信方法であって、
支援依頼サーバが、前記医師端末から診療の支援の要請する支援要請を受信した場合に、複数の支援医師のうち、所定の条件に合致する一または複数の支援医師を選択するステップと、
支援依頼サーバが、選択した支援医師が使用する支援端末に、通信ネットワークを介して、前記診療の支援を依頼する旨の支援依頼を送信するステップと、
支援端末が、前記支援依頼を受信した場合に、支援医師が前記診療の支援が可能である旨を通知する支援可能通知を、通信ネットワークを介して前記医師端末に送信するステップと、
医師端末が、前記支援可能通知を送信した前記支援端末に、通信ネットワークを介して診療コンテンツを送信するステップとを含む
ことを特徴とする診療コンテンツ配信方法。
【請求項１０】
支援医師情報記憶手段が、予め支援医師名、専門分野および勤務時間を対応づけて記憶するステップと、
医師端末が、支援対象の専門分野を含む支援要請を、通信ネットワークを介して支援依頼サーバに送信するステップと、
支援依頼サーバが、複数の支援医師のうち、前記支援要請に含まれる専門分野が前記支援医師情報記憶手段が記憶する専門分野と一致し、現在の時刻が前記支援医師情報記憶手段が記憶する勤務時間に含まれる支援医師を選択するステップとを含む
請求項９記載の診療コンテンツ配信方法
【請求項１１】
医師が使用する医師端末から、診療中の画像および音声データを含む診療コンテンツを、前記診療を支援する医師である支援医師が使用する支援端末に配信する診療コンテンツ配信システムにおける、支援医師を検索して支援端末に診療の支援を依頼するための支援依頼プログラムであって、
予め支援医師名と専門分野とを対応づけて記憶する支援医師情報記憶手段を備えたコンピュータに、
医師端末から、支援対象の専門分野を含む支援要請を、通信ネットワークを介して受信する処理と、
複数の支援医師のうち、前記支援要請に含まれる専門分野が前記支援医師情報記憶手段が記憶する専門分野と一致し、現在の時刻が前記支援医師情報記憶手段が記憶する勤務時間に含まれる一または複数の支援医師を選択する処理と、
選択した支援医師が使用する支援端末に、通信ネットワークを介して、前記診療の支援を依頼する旨の支援依頼を送信する処理と
を実行させるための支援依頼プログラム。
【発明の詳細な説明】
【技術分野】
【０００１】
本発明は、診察や手術を行う診療現場から、診療中の画像や音声データを含む診療コンテンツを、遠隔地に所在する支援端末に配信する診療コンテンツ配信システム、診療コンテンツ配信方法、および支援医師を検索して診療の支援を依頼するための支援依頼プログラムに関する。
【背景技術】
【０００２】
一般に、医師には専門分野がある。医師は、医療機関において、自分の専門分野に応じて、外科、内科、消化器科、小児科、眼科または産婦人科などに分かれて患者を診察する。しかし、離島や農村部など過疎地域の医療機関に勤務する医師は、自分の専門分野にかかわらず様々な症状の患者を診察しなければならない。また、毎日様々な症状の患者の診察に追われるので、手術技術向上のために時間を割くことは難しい。都市部に勤務する医師についても、多忙な医師にとって、最新の手術技術を身につける時間を割くことは難しい。
【０００３】
そこで、高度な技術を要する診察や手術の支援を行うため、高い医療技術をもつ医療機関にブロードバンド回線を介して患者の映像を配信して、最新技術を身につけた専門分野の医師の支援を受けることが考えられる。例えば、ＡＤＳＬ（Asymmetric Digital Subscriber Line）やＦＴＴＨ（Fiber To The Home ）などを利用して患者の映像を配信する遠隔診療サービスが注目されている。
【０００４】
遠隔手術支援を行うシステムとして、特許文献１には、遠隔地にいる医師が手術室にいる術者に適切な支援を行える遠隔手術支援システムが記載されている。特許文献１に記載された遠隔手術支援システムにおいて、遠隔地に設置される遠隔制御システムは、手術中に公衆回線を介して受信した内視鏡画像をモニタに表示する。遠隔地にいる医師は、遠隔手術支援システムがモニタ表示する手術中の画像を確認しながら、手術室にいる術者の手術を支援する。
【０００５】
また、特許文献２には、医師の存在しない過疎地域の医療現場から、画像情報を含む患者の生体情報を都市部の病院に伝送できる医用画像情報伝送システムが記載されている。特許文献２に記載された医用画像情報伝送システムにおいて、過疎地域に設置された画像蓄積装置は、過疎地域の操作者の操作に従って、撮影済みの患者のＸ線画像の送信を送受信装置に指示する。すると、過疎地域の送受信装置は、通信回線を介して画像データを都市部の送受信装置に送信する。
【０００６】
また、特許文献３には、医用画像を読影する医師を割り当てる際に、適切な医師への読影の割り当てを自動化できる遠隔読影システムが記載されている。特許文献３に記載された遠隔読影システムでは、データセンタに設置されたサーバが予め読影医のスケジュール情報を記憶する。データセンタのサーバは、病院に設置される専用端末から医用画像を受信すると、スケジュール情報を参照して読影する医師を割り当てる。そして、データセンタのサーバは、割り当てた医師の読影端末に、通信ネットワークを介して医用画像を送信する。
【０００７】
【特許文献１】特開２０００−２７１１４７号公報（第３−７頁、第１−３図）
【特許文献２】特開平２−２１８３３６号公報（第２−５頁、第１図）
【特許文献３】特開２００２−３２９１９０号公報（第４−８頁、第１−９図）
【発明の開示】
【発明が解決しようとする課題】
【０００８】
特許文献１または特許文献２に記載されたシステムを適用すれば、手術現場や診察現場から患者の画像を高い医療技術をもつ医療機関に送信して、最新技術を身につけた医師の支援をうけることができる。しかし、緊急の患者が発生した場合に、最新技術を身につけた専門分野の医師の支援をリアルタイムに受けられるとは限らない。
【０００９】
また、特許文献１や特許文献２に記載されたシステムを適用すれば、ＣＴ（コンピュータ断層撮影装置）、ＭＲＩ（核磁気共鳴画像診断装置）、ＲＩ（放射性同位元素画像診断装置）、内視鏡または超音波画像診断装置を用いて撮影した２次元画像、Ｘ線画像、または感覚器のデータを配信することができる。しかし、診療中の患者の体内の様子を奥行きや深さを表現して、支援を行う医師に伝えることはできない。また、特許文献２に記載されたシステムでは、撮影済みの画像を送信しているにすぎず、支援を行う医師は、現時点での診療中の画像をリアルタイムに確認しながら支援を行うことができない。
【００１０】
また、特許文献３に記載されたシステムを適用すれば、専門分野やスケジュールが合致する医師を自動的に割り当てて支援を受けることができる。しかし、特許文献３に記載されたシステムでは、病院側の専用端末から送信された画像をデータセンタのサーバに一旦蓄積し、サーバを介して専用端末と読影端末との間の画像や読影結果の送受信を行っている。そのため、特許文献３に記載されたシステムを適用したとしても、緊急の患者が発生した場合に、過疎地域の医療機関の端末から支援を行う医師が使用する端末に、映像や音声データを含む診療コンテンツをリアルタイムに配信できるとは限らない。
【００１１】
そこで、本発明は、医療現場における医師が最新技術を身につけた遠隔地に所在する医師の支援をリアルタイムに受けることができ、且つ支援を行う医師に診療コンテンツをリアルタイムに配信することができる診療コンテンツ配信システム、診療コンテンツ配信方法および支援依頼プログラムを提供することを目的とする。
【課題を解決するための手段】
【００１２】
本発明による診療コンテンツ配信システムは、医師が使用する医師端末から、診療中の画像および音声データを含む診療コンテンツを、診療を支援する医師である支援医師が使用する支援端末に配信する診療コンテンツ配信システムであって、支援医師を検索して支援端末に診療の支援を依頼する支援依頼サーバを含み、支援依頼サーバは、医師端末から診療の支援の要請する支援要請を受信した場合に、複数の支援医師のうち、所定の条件に合致する一または複数の支援医師を選択する支援医師選択手段と、選択した支援医師が使用する支援端末に、通信ネットワークを介して、診療の支援を依頼する旨の支援依頼を送信する支援依頼送信手段とを備え、支援端末は、支援依頼を受信した場合に、支援医師が診療の支援が可能である旨を通知する支援可能通知を、通信ネットワークを介して医師端末に送信する支援可能通知送信手段を備え、医師端末は、支援可能通知を送信した支援端末に、通信ネットワークを介して診療コンテンツを送信する診療コンテンツ送信手段を備えたことを特徴とする。
【００１３】
また、支援依頼サーバは、予め支援医師名と専門分野とを対応づけて記憶する支援医師情報記憶手段を備え、医師端末は、支援対象の専門分野を含む支援要請を、通信ネットワークを介して支援依頼サーバに送信する支援要請送信手段を備え、支援医師選択手段は、複数の支援医師のうち、支援要請に含まれる専門分野が、支援医師情報記憶手段が記憶する専門分野と一致する支援医師を選択するものであってもよい。そのような構成によれば、医療現場の医師は、高度な医療技術を有する専門分野の医師から適切な支援を受けることができる。
【００１４】
また、支援医師情報記憶手段は、専門分野に加えて、予め支援医師名と勤務時間とを対応づけて記憶し、支援医師選択手段は、複数の支援医師のうち、支援要請に含まれる専門分野が支援医師情報記憶手段が記憶する専門分野と一致し、現在の時刻が支援医師情報記憶手段が記憶する勤務時間に含まれる支援医師を選択するものであってもよい。そのような構成によれば、医療現場の医師は、現時刻に勤務中である専門分野の医師からリアルタイムに支援を受けられやすくなる。
【００１５】
また、支援医師選択手段は、所定の条件に合致する日本国内の支援医師が存在しない場合には、所定の条件に合致する海外の一または複数の支援医師を選択するものであってもよい。そのような構成によれば、日本国内の医師のみを自動検索する場合と比較して、医療現場の医師が診療の支援を受けることができる可能性を高めることができる。
【００１６】
また、支援依頼サーバは、予め日本国内の支援医師名と専門分野とを対応づけて記憶する国内支援医師情報記憶手段と、予め海外の支援医師名と専門分野とを対応づけて記憶する海外支援医師情報記憶手段とを備え、医師端末は、支援対象の専門分野を含む支援要請を、通信ネットワークを介して支援依頼サーバに送信する支援要請送信手段を備え、支援医師選択手段は、複数の日本国内の支援医師のうち、支援要請に含まれる専門分野が、国内支援医師情報記憶手段が記憶する専門分野と一致する日本国内の支援医師を選択し、国内支援医師情報記憶手段が記憶する専門分野と一致する日本国内の支援医師が存在しない場合には、支援要請に含まれる専門分野が、海外支援医師情報記憶手段が記憶する専門分野と一致する海外の支援医師を選択するものであってもよい。そのような構成によれば、医療現場の医師は、高度な医療技術を有する専門分野の日本国内または海外の医師から適切な支援を受けることができる。
【００１７】
また、国内支援医師情報記憶手段は、専門分野に加えて、予め日本国内の支援医師名と勤務時間とを対応づけて記憶し、海外支援医師情報記憶手段は、専門分野に加えて、予め海外の支援医師名と勤務時間とを対応づけて記憶し、支援医師選択手段は、複数の日本国内の支援医師のうち、支援要請に含まれる専門分野が国内支援医師情報記憶手段が記憶する専門分野と一致し、現在の時刻が国内支援医師情報記憶手段が記憶する勤務時間に含まれる日本国内の支援医師を選択し、国内支援医師情報記憶手段が記憶する専門分野と一致し、現在の時刻が国内支援医師情報記憶手段が記憶する勤務時間に含まれる日本国内の支援医師が存在しない場合には、複数の海外の支援医師のうち、支援要請に含まれる専門分野が海外支援医師情報記憶手段が記憶する専門分野と一致し、現在の時刻が海外支援医師情報記憶手段が記憶する勤務時間に含まれる海外の支援医師を選択するものであってもよい。そのような構成によれば、医療現場の医師は、現時刻に勤務中である日本国内または海外の医師からリアルタイムに支援を受けられやすくなる。
【００１８】
また、医師端末は、日本語の音声データを外国語の音声データに変換し、外国語の音声データを日本語の音声データに変換する音声変換手段と、音声変換手段が日本語に変換した音声データにもとづいて、日本語の音声を出力する音声出力手段とを備え、診療コンテンツ送信手段は、音声変換手段が外国語に変換した音声データを含む診療コンテンツを、海外の支援医師が使用する支援端末に送信するものであってもよい。そのような構成によれば、支援医師が海外の医師である場合であっても、容易に意思疎通を図ることができ、医療現場の医師は、適切な支援を受けることができる。
【００１９】
また、医師端末は、診療中の患者の立体画像を撮影する立体画像撮影手段を備え、診療コンテンツ送信手段は、立体画像を含む診療コンテンツを送信するものであってもよい。そのような構成によれば、患者の様子を立体画像で確認することができるので、支援医師に、診療中の患者の様子を奥行きや深さを表現して伝えることができる。
【００２０】
本発明による診療コンテンツ配信方法は、医師が使用する医師端末から、診療中の画像および音声データを含む診療コンテンツを、診療を支援する医師である支援医師が使用する支援端末に配信する診療コンテンツ配信方法であって、支援依頼サーバが、医師端末から診療の支援の要請する支援要請を受信した場合に、複数の支援医師のうち、所定の条件に合致する一または複数の支援医師を選択するステップと、支援依頼サーバが、選択した支援医師が使用する支援端末に、通信ネットワークを介して、診療の支援を依頼する旨の支援依頼を送信するステップと、支援端末が、支援依頼を受信した場合に、支援医師が診療の支援が可能である旨を通知する支援可能通知を、通信ネットワークを介して医師端末に送信するステップと、医師端末が、支援可能通知を送信した支援端末に、通信ネットワークを介して診療コンテンツを送信するステップとを含むことを特徴とする。
【００２１】
また、診療コンテンツ配信方法は、支援医師情報記憶手段が、予め支援医師名、専門分野および勤務時間を対応づけて記憶するステップと、医師端末が、支援対象の専門分野を含む支援要請を、通信ネットワークを介して支援依頼サーバに送信するステップと、支援依頼サーバが、複数の支援医師のうち、支援要請に含まれる専門分野が支援医師情報記憶手段が記憶する専門分野と一致し、現在の時刻が支援医師情報記憶手段が記憶する勤務時間に含まれる支援医師を選択するステップとを含むものであってもよい。そのような構成によれば、医療現場の医師は、支援が必要な専門分野の医師から適切な支援を受けることができる。また、医療現場の医師は、現時刻に勤務中である専門分野の医師からリアルタイムに支援を受けられやすくなる。
【００２２】
本発明による支援依頼プログラムは、医師が使用する医師端末から、診療中の画像および音声データを含む診療コンテンツを、診療を支援する医師である支援医師が使用する支援端末に配信する診療コンテンツ配信システムにおける、支援医師を検索して支援端末に診療の支援を依頼するための支援依頼プログラムであって、予め支援医師名と専門分野とを対応づけて記憶する支援医師情報記憶手段を備えたコンピュータに、医師端末から、支援対象の専門分野を含む支援要請を、通信ネットワークを介して受信する処理と、複数の支援医師のうち、支援要請に含まれる専門分野が支援医師情報記憶手段が記憶する専門分野と一致し、現在の時刻が支援医師情報記憶手段が記憶する勤務時間に含まれる一または複数の支援医師を選択する処理と、選択した支援医師が使用する支援端末に、通信ネットワークを介して、診療の支援を依頼する旨の支援依頼を送信する処理とを実行させることを特徴とする。
【発明の効果】
【００２３】
本発明によれば、所定の条件に合致する支援医師を自動検索して、支援端末に支援依頼を送信する。また、支援端末が支援可能通知を直接医師端末に送信し、医師端末が支援端末に直接診療コンテンツを送信する。従って、緊急の患者が発生した場合であっても、医療現場の医師が最新技術を身につけた遠隔地に所在する支援医師の支援をリアルタイムに受けることができ、且つ支援を行う医師に診療コンテンツをリアルタイムに配信することができる。
【発明を実施するための最良の形態】
【００２４】
以下、本発明の実施の形態を図面を参照して説明する。本実施の形態では、それぞれの医師から最新技術を身につけた専門分野の医師への支援要請を仲介する遠隔診療仲介サービスを提供するメディカル会社が予め設立されている。メディカル会社は、遠隔診療仲介サービスを提供するとともに、診療コンテンツや診療の支援指示を配信するための医療装置の販売やメンテナンスを行う。例えば、メディカル会社は、過疎地域などの医療機関に医療装置として後述するメディカルライト端末１０を販売する。また、メディカル会社は、都市部や海外の医療機関に医療装置として後述するＤ端末２０やＷ端末３０を販売する。
【００２５】
本実施の形態では、医療現場の医師が緊急手術を行う場合に、診療コンテンツとして手術中の患者の体内映像や音声データを含むコンテンツを、都市部や海外の医療機関に配信する。以下、手術中の患者の体内映像や音声データを含むコンテンツを単に手術コンテンツと記す。なお、診療コンテンツとして配信されるコンテンツは、手術コンテンツに限られない。例えば、診察中や治療中の患者の映像や音声データを含むコンテンツを、診療コンテンツとして配信するものであってもよい。
【００２６】
また、都市部や海外に勤務する医師は、配信された手術コンテンツにもとづいて、医療現場の医師に手術の支援を行う。なお、本実施の形態では、後述するメディカルライト端末１０を購入して遠隔診療仲介サービスをうける医療機関（例えば、病院）を、メディカルライトと記す。また、メディカルライトで緊急手術を行う医師を単にオペドクタと記す。
【００２７】
図１は、本発明による診療コンテンツ配信システムの構成の一例を示すブロック図である。図１に示すように、診療コンテンツ配信システムは、メディカルライトに設置される複数のメディカルライト端末１０と、都市部や海外に勤務する医師が使用する複数のＤ端末２０およびＷ端末３０と、メディカル会社が運営するドクタヘルプサーバ（ＤＨサーバ）５０とを含む。また、図１に示すように、メディカルライト端末１０、Ｄ端末２０、Ｗ端末３０およびＤＨサーバ５０は、インターネットなどの通信ネットワーク１００を介して接続されている。なお、通信ネットワーク１００は、インターネットに限らず、公衆回線網などを含んでいていてもよい。
【００２８】
図２は、メディカルライト端末１０が備える機能、およびメディカルライト端末１０の利用環境のイメージを示す説明図である。メディカルライト端末１０は、実際に医療行為を行う医師（オペドクタ）によって使用される。
【００２９】
図２に示すように、メディカルライト端末１０は、患者の体内の立体画像を撮影する撮影機能、患者の体内を照射する機能、日本語の音声と外国語の音声との間の音声変換機能、音声入出力機能、および立体画像や音声データの送信機能を備える一体型の多機能装置である。すなわち、メディカルライト端末１０は、単に患者の体内を照射するだけのライトではなく、撮影機能や音声入出力機能など様々な機能を用いて患者の状態を照らすライトとしての役割を果たす。
【００３０】
メディカルライト端末１０は、立体画像を撮影する立体カメラ、マイクロフォン、スピーカ、医療用照明装置、記憶装置、記憶装置が記憶するプログラムに従って動作するＣＰＵおよびディスプレイ装置（以上、図示せず）を含む。立体カメラは、左右２つのレンズを備える。メディカルライト端末１０は、立体画像を処理するための専用のソフトウェアがインストールされている。メディカルライト端末１０は、立体画像処理用のソフトウェアを用いて、立体カメラの左右２つのレンズから撮影された映像を処理する。なお、立体カメラは、患者の体内だけでなく手術風景や手術室内部も撮影できるよう撮影範囲を調節できるものであってもよい。
【００３１】
また、メディカルライト端末１０は、ＬＡＮポートなどネットワークインタフェース部（図示せず）を備える。メディカルライト端末１０は、立体カメラが撮影した立体画像や、マイクロフォンに入力された音声データ（外国語に変換された音声データを含む）を、通信ネットワーク１００を介して送信する。また、メディカルライト端末１０は、通信ネットワーク１００を介して音声データ（外国語の音声データを含む）を受信し、音声をスピーカに出力する。メディカルライト端末１０は、立体画像や音声データを暗号化して送信する機能を備える。また、メディカルライト端末１０は、暗号化された立体画像や音声データを復号化する機能を備える。
【００３２】
メディカルライト端末１０は、緊急手術の際に都市部や海外の医師に支援を要請する旨の手術ヘルプ要請を、通信ネットワーク１００を介して送信する機能を備える。例えば、オペドクタは、メディカルライト端末１０のディスプレイ装置に表示される表示画面を見ながら、支援が必要な医療の専門分野（外科や内科）を指定して手術ヘルプ要請の送信指示を入力する。すると、メディカルライト端末１０は、オペドクタの操作に従って、支援対象の専門分野を含む手術ヘルプ要請を送信する。
【００３３】
また、メディカルライト端末１０は、予めメディカルライトを識別するための識別情報であるメディカルライトＩＤが付与されている。メディカルライト端末１０は、オペドクタの操作に従って手術ヘルプ要請を送信する際に、メディカルライトＩＤを含む手術ヘルプ要請を、通信ネットワーク１００を介して送信する。
【００３４】
メディカルライト端末１０は、音声認識機能および音声生成機能を備える。また、メディカルライト端末１０は、日本語と外国語との間の翻訳ソフトウェアがインストールされている。メディカルライト端末１０は、マイクロフォンから入力された日本語の音声を認識し日本語の文章に変換する。メディカルライト端末１０は、変換した日本語の文章を、翻訳ソフトウェアを用いて外国語の文章に翻訳する。そして、メディカルライト端末１０は、翻訳した外国語の文章を音声データに変換して、通信ネットワーク１００を介して送信する。
【００３５】
また、メディカルライト端末１０は、通信ネットワーク１００を介して受信した外国語の音声データを外国語の文章に変換する。メディカルライト端末１０は、変換した外国語の文章を、翻訳ソフトウェアを用いて日本語の文章に変換する。そして、メディカルライト端末１０は、変換した日本語の文章を音声データに変換してスピーカに出力する。
【００３６】
例えば、メディカルライト端末１０は、ディスプレイ装置に表示される「Translate ボタン」をオペドクタが押すと、日本語と外国語との間の音声変換を開始する。そして、オペドクタが日本語で話した音声が、海外の医師が理解できるように外国語に自動翻訳されてＷ端末３０に送信される。また、海外の医師が外国語で話した音声が、オペドクタが理解できるように日本語に自動翻訳されてメディカルライト端末１０に出力される。なお、本実施の形態では、海外の医師が使用する外国語が英語であり、メディカルライト端末１０が日本語と英語との間の音声変換機能を備える場合を説明する。
【００３７】
さらに、メディカルライト端末１０は、メディカルライトが保管する薬品の在庫数を記憶するデータベース（図示せず）を備える。
【００３８】
図３は、Ｄ端末２０の利用環境のイメージを示す説明図である。Ｄ端末２０は、日本国内の都市部の医療機関に勤務する医師が使用するメディカル端末である。例えば、Ｄ端末２０は、パーソナルコンピュータなどの情報処理端末である。以下、Ｄ端末２０を使用する日本国内の都市部に勤務する医師を、単にドメスティックドクタと記す。本実施の形態において、Ｄ端末２０は、メディカルライト端末１０から手術ヘルプ要請があった場合に、ドメスティックドクタがオペドクタに手術支援を行うために用いられる。
【００３９】
Ｄ端末２０は、通信ネットワーク１００を介して受信した立体画像を、ディスプレイ装置（図示せず）に表示する機能を備える。また、Ｄ端末２０は、音声データを通信ネットワーク１００を介して受信し、音声をスピーカに出力する機能を備える。また、Ｄ端末２０は、ドメスティックドクタがマイクロフォンから入力した音声データを、通信ネットワーク１００を介して送信する機能を備える。この場合、Ｄ端末２０は、音声データを暗号化して送信する機能を備える。また、Ｄ端末２０は、暗号化された立体画像や音声データを復号化する機能を備える。また、Ｄ端末２０は、後述する手術の支援の依頼を知らせる手術ヘルプ依頼を受信した場合に、ブザー音を出力する機能を備える。
【００４０】
図４は、Ｗ端末３０の利用環境のイメージを示す説明図である。Ｗ端末３０は、海外の医療機関に勤務する医師が使用するメディカル端末である。例えば、Ｗ端末３０は、パーソナルコンピュータなどの情報処理端末である。以下、Ｗ端末３０を使用する海外に勤務する医師を、単にワールドワイドドクタと記す。本実施の形態において、Ｗ端末３０は、メディカルライト端末１０から手術ヘルプ要請があった場合に、ワールドワイドドクタがオペドクタに手術支援を行うために用いられる。
【００４１】
Ｗ端末３０は、通信ネットワーク１００を介して受信した立体画像を、ディスプレイ装置（図示せず）に表示する機能を備える。また、Ｗ端末３０は、音声データを通信ネットワーク１００を介して受信し、音声をスピーカに出力する機能を備える。また、Ｗ端末３０は、ワールドワイドドクタがマイクロフォンから入力した音声データを、通信ネットワーク１００を介して送信する機能を備える。この場合、Ｗ端末３０は、音声データを暗号化して送信する機能を備える。また、Ｗ端末３０は、暗号化された立体画像や音声データを復号化する機能を備える。また、Ｗ端末３０は、後述する手術の支援の依頼を知らせる手術ヘルプ依頼を受信した場合に、ブザー音を出力する機能を備える。
【００４２】
また、Ｗ端末３０は、音声認識機能および音声生成機能を備える。また、Ｗ端末３０は、日本語と外国語（本例では、英語）との間の翻訳ソフトウェアがインストールされている。Ｗ端末３０は、マイクロフォンから入力された外国語の音声を認識し外国語の文章に変換する。Ｗ端末３０は、変換した外国語の文章を、翻訳ソフトウェアを用いて日本語の文章に翻訳する。そして、Ｗ端末３０は、翻訳した日本語の文章を音声データに変換して、通信ネットワーク１００を介して送信する。
【００４３】
また、Ｗ端末３０は、通信ネットワーク１００を介して受信した日本語の音声データを日本語の文章に変換する。Ｗ端末３０は、変換した日本語の文章を、翻訳ソフトウェアを用いて外国語の文章に変換する。そして、メディカルライト端末１０は、変換した外国語の文章を音声データに変換してスピーカに出力する。
【００４４】
例えば、Ｗ端末３０は、ディスプレイ装置に表示される「Translate ボタン」をワールドワイドドクタが押すと、日本語と外国語との間の音声変換を開始する。そして、ワールドワイドドクタが外国語で話した音声が、オペドクタが理解できるように日本語に自動翻訳されてメディカルライト端末１０に送信される。また、オペドクタが日本語で話した音声が、ワールドワイドドクタが理解できるように外国語に自動翻訳されてＷ端末３０に出力される。
【００４５】
ＤＨサーバ５０は、メディカル会社のメディカルセンタに設置される。メディカルセンタとは、例えば、メディカル会社の本社内で運営される情報処理センタである。ＤＨサーバ５０は、メディカルライト端末１０から手術ヘルプ要請を受信すると、手術ヘルプ要請に含まれるメディカルライトＩＤにもとづいて、メディカルライトを認証する機能を備える。
【００４６】
また、ＤＨサーバ５０は、手術ヘルプ要請を受信した場合に、所定の条件に合致するドメスティックドクタまたはワールドワイドドクタを検索する機能を備える。本実施の形態では、ＤＨサーバ５０は、支援対象の専門分野に合致し、支援要請された時刻が勤務時間中であることを条件に、ドメスティックドクタまたはワールドワイドドクタを検索する。
【００４７】
また、ＤＨサーバ５０は、検索したドメスティックドクタが使用するＤ端末２０、または検索したワールドワイドドクタが使用するＷ端末３０に、手術の支援を依頼する旨の手術ヘルプ依頼を、通信ネットワーク１００を介して送信する。また、ＤＨサーバ５０は、メディカルライト端末１０から薬品の発注依頼を受信した場合に、薬品会社に薬品の発注処理を行う機能を備える。
【００４８】
図５は、ＤＨサーバ５０が備えるデータベースの格納状態を示す説明図である。図５に示すように、ＤＨサーバ５０は、各メディカルライトの登録情報を記憶するホスピタルデータベース２０１、各ドメスティックドクタの登録情報を記憶するドメスティックドクタデータベース２０２、および各ワールドワイドドクタの登録情報を記憶するワールドワイドドクタデータベース２０３を含む。
【００４９】
ＤＨサーバ５０は、ホスピタルデータベース２０１が記憶する登録情報にもとづいて、メディカルライトを認証する。また、ＤＨサーバ５０は、ドメスティックドクタデータベース２０２が記憶する登録情報にもとづいてドメスティックドクタを検索する。また、ＤＨサーバ５０は、ワールドワイドドクタデータベース２０３が記憶する登録情報にもとづいてワールドワイドドクタを検索する。
【００５０】
図６は、ホスピタルデータベース２０１が記憶する情報の内容の例を示す説明図である。本実施の形態では、遠隔診療仲介サービスの提供を受ける契約をメディカル会社と締結した各メディカルライトの登録情報が、予めＤＨサーバ５０に登録されている。図６に示すように、ホスピタルデータベース２０１は、登録情報として、各メディカルライトごとに、メディカルＩＤ、病院名、住所、電話番号、ＦＡＸ番号およびe-mailアドレスを対応づけて記憶する。
【００５１】
図７は、ドメスティックドクタデータベース２０２が記憶する情報の内容の例を示す説明図である。本実施の形態では、最新の医療技術を身につけたドメスティックドクタの登録情報が、予めＤＨサーバ５０に登録されている。図７に示すように、ドメスティックドクタデータベース２０２は、登録情報として、各ドメスティックドクタごとに、ドクタ名、病院名、住所、電話番号、ＦＡＸ番号、e-mailアドレス、専門分野および勤務時間を対応づけて記憶する。
【００５２】
図８は、ワールドワイドドクタデータベース２０３が記憶する情報の内容の例を示す説明図である。本実施の形態では、最新の医療技術を身につけたワールドワイドドクタの登録情報が、予めＤＨサーバ５０に登録されている。図８に示すように、ワールドワイドドクタデータベース２０３は、登録情報として、各ワールドワイドドクタごとに、ドクタ名、病院名、住所、電話番号、ＦＡＸ番号、e-mailアドレス、専門分野および勤務時間を対応づけて記憶する。
【００５３】
本実施の形態において、ＤＨサーバ５０の記憶装置（図示せず）は、ドメスティックドクタまたはワールドワイドドクタを検索して手術ヘルプ依頼を送信する処理を実行させるための各種プログラムを記憶している。例えば、ＤＨサーバ５０の記憶装置は、コンピュータに、医師端末から、支援対象の専門分野を含む支援要請を、通信ネットワークを介して受信する処理と、複数の支援医師のうち、支援要請に含まれる専門分野が支援医師情報記憶手段が記憶する専門分野と一致し、現在の時刻が支援医師情報記憶手段が記憶する勤務時間に含まれる一または複数の支援医師を選択する処理と、選択した支援医師が使用する支援端末に、通信ネットワークを介して、診療の支援を依頼する旨の支援依頼を送信する処理とを実行させるための支援依頼プログラムを記憶している。
【００５４】
また、本実施の形態において、医師端末は、メディカルライト端末１０によって実現される。支援端末は、Ｄ端末２０およびＷ端末３０によって実現される。支援依頼サーバは、ＤＨサーバ５０によって実現される。支援医師選択手段は、ＤＨサーバ５０の制御部（図示せず）によって実現される。支援依頼送信手段は、ＤＨサーバ５０の制御部およびネットワークインタフェース部（図示せず）によって実現される。支援可能通知送信手段は、Ｄ端末２０およびＷ端末３０の制御部（図示せず）およびネットワークインタフェース部（図示せず）によって実現される。診療コンテンツ送信手段および支援要請送信手段は、メディカルライト端末１０の制御部およびネットワークインタフェース部によって実現される。
【００５５】
支援医師情報記憶手段は、ドメスティックドクタデータベース２０２およびドメスティックドクタデータベース２０２によって実現される。国内支援医師情報記憶手段は、ドメスティックドクタデータベース２０２によって実現される。海外支援医師情報記憶手段は、ワールドワイドドクタデータベース２０３によって実現される。音声変換手段は、メディカルライト端末１０の制御部によって実現される。音声出力手段は、メディカルライト端末１０の制御部およびスピーカによって実現される。立体画像撮影手段は、メディカルライト端末１０の制御部および立体カメラによって実現される。
【００５６】
次に、動作について説明する。図９は、メディカルライト端末１０から手術の支援の要請があった場合に、ＤＨサーバ５０がドメスティックドクタまたはワールドワイドドクタを検索して手術支援を依頼する支援依頼処理の処理経過の一例を示す流れ図である。
【００５７】
メディカルライトに緊急患者が搬送される旨の連絡があった場合や緊急患者が搬送された場合には、オペドクタは、搬送中の患者の情報や搬送された患者の容態にもとづいて、最新の医療技術を身につけた専門分野の医師の支援が必要か否か判断する（ステップＳ１１）。専門分野の医師の支援が必要であると判断した場合には、オペドクタは、メディカルライト端末１０を起動し、支援が必要な専門分野（外科や内科）を指定して手術ヘルプ要請の送信指示を入力する。
【００５８】
メディカルライト端末１０は、オペドクタの操作に従って、支援対象の専門分野およびメディカルライトＩＤを含む手術ヘルプ要請（支援要請）を、通信ネットワーク１００を介してＤＨサーバ５０に送信する（ステップＳ１２）。
【００５９】
手術ヘルプ要請を受信すると、ＤＨサーバ５０は、受信した手術ヘルプ要請に含まれるメディカルライトＩＤにもとづいて、登録済みのメディカルライトからの支援の要請であるか否か認証する（ステップＳ１３）。ステップＳ１３において、ＤＨサーバ５０は、手術ヘルプ要請に含まれるメディカルライトＩＤが、ホスピタルデータベース２０１に予め記憶されるメディカルライトＩＤと一致するか否かを判断することによって認証を行う。
【００６０】
なお、ステップＳ１３において、登録済みのメディカルライトからの支援の要請ではないと判断した場合には、ＤＨサーバ５０は、認証に失敗した旨を示す情報を、通信ネットワーク１００を介してメディカルライト端末１０に送信する。すると、メディカルライト端末１０は、例えば、認証に失敗した旨を表示して、オペドクタにメディカルライトＩＤの再入力を促す。
【００６１】
登録済みのメディカルライトからの支援の要請であると判断した場合には、ＤＨサーバ５０は、現在の時刻および手術ヘルプ要請に含まれる専門分野にもとづいて、ドメスティックドクタを検索する。そして、ＤＨサーバ５０は、時間及び専門分野の条件に合致するドメスティックドクタが存在するか否かを判断する（ステップＳ１４）。
【００６２】
ステップＳ１４において、ＤＨサーバ５０は、ドメスティックドクタデータベース２０２に予め記憶される専門分野のうち、手術ヘルプ要請に含まれる専門分野と一致するものがあるか否か判断する。また、ＤＨサーバ５０は、ドメスティックドクタデータベース２０２に予め記憶される勤務時間のうち、現在時刻が含まれるものがあるか否か判断する。そして、ＤＨサーバ５０は、医師の専門分野が一致し、現在時刻が勤務時間に含まれる登録情報がある場合には、条件に合致するドメスティックドクタが存在すると判断する。また、ＤＨサーバ５０は、専門分野が一致し、且つ現在時刻が勤務時間に含まれる登録情報がない場合には、条件に合致するドメスティックドクタが存在しないと判断する。
【００６３】
条件に合致するドメスティックドクタが存在すると判断した場合には、ＤＨサーバ５０は、条件が合致するドメスティックドクタを選択し、選択したドメスティックドクタのＤ端末２０に、通信ネットワーク１００を介して手術ヘルプ依頼（支援依頼）を送信する（ステップＳ１５）。
【００６４】
なお、条件に合致するドメスティックドクタが複数存在する場合には、ＤＨサーバ５０は、条件が合致する全てのドメスティックドクタのＤ端末２０に手術ヘルプ依頼を送信してもよい。そのようにすれば、複数のドメスティックドクタのいずれかから支援を受けることができ、一人のドメスティックドクタのみに手術ヘルプ依頼を送信する場合と比較して、オペドクタが手術の支援を受けることができる可能性を高めることができる。
【００６５】
ステップＳ１５において、ＤＨサーバ５０は、例えば、本文中に手術の支援を依頼するドメスティックドクタの名前、支援の要請があったメディカルライトの病院名、電話番号、ＦＡＸ番号およびe-mailアドレスを記載した電子メールを、手術ヘルプ依頼として送信する。なお、各ドメスティックドクタに予めＩＤを付与し、ＤＨサーバ５０は、ドメスティックドクタの名前の代わりにドクタのＩＤを含む電子メールを、手術ヘルプ依頼として送信してもよい。
【００６６】
Ｄ端末２０は、手術ヘルプ依頼を受信すると、ブザー音を出力して緊急の手術支援の依頼があった旨を病院内に知らせる。ドメスティックドクタは、Ｄ端末２０に手術ヘルプ依頼の内容を表示させて、自分に緊急手術の支援の依頼があった旨、および依頼元のメディカルライトの連絡先を知ることができる。
【００６７】
なお、本例では、ＤＨサーバ５０は、メーリングリスト（Mailing List）を利用して、各Ｄ端末２０に電子メールを送信する。図７に示すように、ドメスティックドクタデータベース２０２は、各ドメスティックドクタのe-mailアドレスとして、共通のアドレス「supports@doctorhelp.com 」を記憶している。そして、手術ヘルプ依頼を送信する際に、ＤＨサーバ５０は、手術ヘルプ依頼と同一内容を含む電子メールを、全てのＤ端末２０に通信ネットワーク１００を介して送信する。そのようにすることにより、手術の支援の依頼をされたドメスティックドクタ以外のドクタも、いつどのような緊急手術が行われ支援が行われたかを把握することができる。
【００６８】
ステップＳ１４において条件に合致するドメスティックドクタが存在しないと判断した場合には、ＤＨサーバ５０は、現在の時刻および手術ヘルプ要請に含まれる専門分野にもとづいて、ワールドワイドドクタを検索する。そして、ＤＨサーバ５０は、時間及び専門分野の条件に合致するワールドワイドドクタが存在するか否かを判断する（ステップＳ１６）。
【００６９】
ステップＳ１６において、ＤＨサーバ５０は、ワールドワイドドクタデータベース２０３に予め記憶される専門分野のうち、手術ヘルプ要請に含まれる専門分野と一致するものがあるか否か判断する。また、ＤＨサーバ５０は、ワールドワイドドクタデータベース２０３に予め記憶される勤務時間のうち、現在時刻が含まれるものがあるか否か判断する。そして、ＤＨサーバ５０は、医師の専門分野が一致し、現在時刻が勤務時間に含まれる登録情報がある場合には、条件に合致するワールドワイドドクタが存在すると判断する。また、ＤＨサーバ５０は、専門分野が一致し、且つ現在時刻が勤務時間に含まれる登録情報がない場合には、条件に合致するワールドワイドドクタが存在しないと判断する。
【００７０】
条件に合致するワールドワイドドクタが存在すると判断した場合には、ＤＨサーバ５０は、条件が合致するワールドワイドドクタを選択し、選択したワールドワイドドクタのＷ端末３０に、通信ネットワーク１００を介して手術ヘルプ依頼を送信する（ステップＳ１７）。
【００７１】
なお、条件に合致するワールドワイドドクタが複数存在する場合には、ＤＨサーバ５０は、条件が合致する全てのワールドワイドドクタのＷ端末３０に手術ヘルプ依頼を送信してもよい。そのようにすれば、複数のワールドワイドドクタのいずれかから支援を受けることができ、一人のワールドワイドドクタのみに手術ヘルプ依頼を送信する場合と比較して、オペドクタが手術の支援を受けることができる可能性を高めることができる。
【００７２】
ステップＳ１７において、ＤＨサーバ５０は、例えば、本文中に手術の支援を依頼するワールドワイドドクタの名前、支援の要請があったメディカルライトの病院名、電話番号、ＦＡＸ番号およびe-mailアドレスを英語で記載した電子メールを、手術ヘルプ依頼として送信する。なお、各ワールドワイドドクタに予めＩＤを付与し、ＤＨサーバ５０は、ワールドワイドドクタの名前の代わりにドクタのＩＤを含む電子メールを、手術ヘルプ依頼として送信してもよい。
【００７３】
Ｗ端末３０は、手術ヘルプ依頼を受信すると、ブザー音を出力して緊急の手術支援の依頼があった旨を病院内に知らせる。ワールドワイドドクタは、Ｗ端末３０に手術ヘルプ依頼の内容を表示させて、自分に緊急手術の支援の依頼があった旨、および依頼元のメディカルライトの連絡先を知ることができる。
【００７４】
なお、本例では、ＤＨサーバ５０は、メーリングリスト（Mailing List）を利用して、各Ｗ端末３０に電子メールを送信する。図８に示すように、ワールドワイドドクタデータベース２０３は、各ワールドワイドドクタのe-mailアドレスとして、共通のアドレス「supports@doctorhelp.com 」を記憶している。そして、手術ヘルプ依頼を送信する際に、ＤＨサーバ５０は、手術ヘルプ依頼と同一内容を含む電子メールを、全てのＷ端末３０に通信ネットワーク１００を介して送信する。そのようにすることにより、手術の支援の依頼をされたワールドワイドドクタ以外のドクタも、いつどのような緊急手術が行われ支援が行われたかを把握することができる。
【００７５】
ステップＳ１６において条件に合致するワールドワイドドクタが存在しないと判断した場合には、ＤＨサーバ５０は、手術の支援を行えるドクタが見つからなかった旨を示す手術ヘルプ不可通知を、通信ネットワーク１００を介してメディカルライト端末１０に送信する（ステップＳ１８）。
【００７６】
図１０は、支援依頼処理の実行後に、手術を開始して手術コンテンツおよび手術指示を配信する配信処理、および手術後の処置の指示を行う術後処理の処理経過の一例を示す流れ図である。ドメスティック／ワールドワイドドクタ（ドメスティックドクタまたはワールドワイドドクタ）は、手術ヘルプ依頼の内容を確認して自分に緊急手術の支援の依頼があった旨を知ると、Ｄ端末２０／Ｗ端末３０（Ｄ端末２０またはＷ端末３０）を操作して、手術の支援を行う旨の手術ヘルプ応答通知の送信指示を入力する。
【００７７】
Ｄ端末２０／Ｗ端末３０は、ドメスティック／ワールドワイドドクタの操作に従って、手術ヘルプ応答通知（支援可能通知）を、通信ネットワーク１００を介してメディカルライト端末１０に送信する（ステップＳ２１）。例えば、ドメスティック／ワールドワイドドクタは、手術ヘルプ依頼に含まれるメディカルライトのe-mailアドレスにもとづいて、電子メールを用いて手術ヘルプ応答通知の送信指示を入力する。すると、Ｄ端末２０／Ｗ端末３０は、手術ヘルプ応答通知として電子メールを通信ネットワーク１００を介してメディカルライト端末１０に送信する。
【００７８】
なお、ドメスティック／ワールドワイドドクタは、手術ヘルプ依頼に含まれるメディカルライトの電話番号またはＦＡＸ番号にもとづいて、電話機またはファクシミリ端末を用いてメディカルライトに手術の支援を行う旨を通知してもよい。
【００７９】
メディカルライト端末１０が手術ヘルプ応答通知を受信すると、オペドクタとドメスティック／ワールドワイドドクタとは、それぞれメディカルライト端末１０とＤ端末２０／Ｗ端末３０とを操作して連絡を取り合う。そして、メディカルライト端末１０とＤ端末２０／Ｗ端末３０とは、それぞれオペドクタとドメスティック／ワールドワイドドクタとの操作に従って、セッション（session ）を確立する。
【００８０】
例えば、メディカルライト端末１０が手術ヘルプ応答通知を受信すると、オペドクタとドメスティック／ワールドワイドドクタとは、お互いのＩＰ（Internet Protocol ）アドレスやＵＲＬ（Uniform Resource Locator）を確認し、ＩＰアドレスやＵＲＬを指定して相互に回線接続の操作を行う。すると、メディカルライト端末１０とＤ端末２０／Ｗ端末３０とは、指定されたＵＲＬやＩＰアドレスにもとづいてセッションを確立する。
【００８１】
セッションを確立すると、オペドクタは、メディカルライト端末１０を用いて患者の体を照射させ、立体画像の撮影開始および音声入力開始の操作を行って手術を開始する。すると、メディカルライト端末１０は、手術中の手術コンテンツの送信を開始する（ステップＳ２２）。
【００８２】
ステップＳ２２において、メディカルライト端末１０は、撮影した手術中の患者の体内の立体画像を、手術コンテンツとして、通信ネットワーク１００を介してＤ端末２０／Ｗ端末３０に送信する。また、ステップＳ２２において、メディカルライト端末１０は、手術中にオペドクタが患者の容態を説明した音声データを、手術コンテンツとして、通信ネットワーク１００を介してＤ端末２０／Ｗ端末３０に送信する。この場合、メディカルライト端末１０は、立体画像および音声データを暗号化して、Ｄ端末２０／Ｗ端末３０に送信する。
【００８３】
手術コンテンツを受信すると、Ｄ端末２０／Ｗ端末３０は、手術コンテンツに含まれる立体画像および音声データを復号化する。そして、Ｄ端末２０／Ｗ端末３０は、手術中の患者の立体画像を表示し、患者の容態を説明した音声を出力する。
【００８４】
ドメスティック／ワールドワイドドクタは、手術中の立体画像および音声の説明を確認しながら、Ｄ端末２０／Ｗ端末３０を操作して、手術の支援の指示を音声入力する。Ｄ端末２０／Ｗ端末３０は、ドメスティック／ワールドワイドドクタによって入力された音声データを、通信ネットワーク１００を介して随時メディカルライト端末１０に送信する（ステップＳ３）。この場合、Ｄ端末２０／Ｗ端末３０は、音声データを暗号化してメディカルライト端末１０に送信する。
【００８５】
ステップＳ２２において、Ｗ端末３０に手術コンテンツを送信する場合には、オペドクタは、メディカルライト端末１０を操作して「Translate ボタン」を押す。すると、メディカルライト端末１０は、日本語の音声データを英語の音声データに変換して、手術コンテンツをＷ端末３０に送信する。そして、Ｗ端末３０は、手術コンテンツを受信すると、英語の音声を出力する。また、メディカルライト端末１０は、Ｗ端末３０から受信した英語の音声データを日本語の音声データに変換して、日本語の音声を出力する。
【００８６】
また、ワールドワイドドクタ側から音声変換の指示操作をする場合には、ワールドワイドドクタは、Ｗ端末３０を操作して「Translate ボタン」を押す。すると、Ｗ端末３０は、英語の音声データを日本語の音声データに変換してメディカルライト端末１０に送信する。そして、メディカルライト端末１０は、音声データを受信すると、日本語の音声を出力する。また、Ｗ端末３０は、メディカルライト端末１０から受信した手術コンテンツに含まれる日本語の音声データを英語の音声データに変換して、英語の音声を出力する。
【００８７】
なお、ステップＳ２２およびステップＳ２３において、メディカルライト端末１０とＤ端末２０／Ｗ端末３０とは、ＶＰＮ（Virtual Private Network ）を利用して手術コンテンツおよび手術の支援の指示を送受信する。そのようにすることにより、通信ネットワーク１００としてインターネットを利用する場合であっても、手術内容の漏洩を抑止することができセキュリティを確保することができる。
【００８８】
手術を終了すると、オペドクタは、メディカルライト端末１０を操作して立体画像の撮影及び音声入力を停止させる（ステップＳ２４）。メディカルライト端末１０は、オペドクタの操作に従って、立体画像の撮影および音声入力を停止する。また、メディカルライト端末１０とＤ端末２０／Ｗ端末３０とは、オペドクタとドメスティック／ワールドワイドドクタの操作に従って、セッションを開放する。
【００８９】
セッションが開放された後、ドメスティック／ワールドワイドドクタは、Ｄ端末２０／Ｗ端末３０を操作して、手術後の患者の治療に必要となる薬品の処方箋の情報を送信指示する。Ｄ端末２０／Ｗ端末３０は、ドメスティック／ワールドワイドドクタの操作に従って、薬品の処方箋の情報を通信ネットワーク１００を介してメディカルライト端末１０に送信する（ステップＳ２５）。例えば、Ｄ端末２０／Ｗ端末３０は、薬品の処方箋の情報を記載した電子メールを、通信ネットワーク１００を介してメディカルライト端末１０に送信する。
【００９０】
薬品の処方箋の情報を受信すると、メディカルライト端末１０は、オペドクタの操作に従って、処方箋に記載された薬品の在庫がメディカルライトにあるか否か確認する。薬品の在庫がない場合には、メディカルライト端末１０は、オペドクタの操作に従って、在庫がない薬品の発注依頼を、通信ネットワーク１００を介してＤＨサーバ５０に送信する（ステップＳ２６）。
【００９１】
薬品の発注依頼を受信すると、ＤＨサーバ５０は、発注を依頼された薬品の発注処理を実行する（ステップＳ２７）。例えば、ＤＨサーバ５０は、発注を依頼された薬品を取り扱う薬品会社のサーバ（図示せず）に、通信ネットワーク１００を介して薬品を発注する。そして、は注した薬品がメディカルライトに納品されると、オペドクタは、納品された薬品を用いて患者の手術後の治療を行う（ステップＳ２８）。
【００９２】
以上のように、本実施の形態によれば、診療コンテンツ配信システムにおいて、メディカルライト端末１０からの手術ヘルプ要請を受信した場合に、ＤＨサーバ５０は、所定の条件に合致するドメスティック／ワールドワイドドクタを自動検索して、Ｄ端末２０／Ｗ端末３０に手術ヘルプ依頼を送信する。緊急の患者が発生した場合であっても、リアルタイムにドメスティック／ワールドワイドドクタに通知されるので、高度な医療技術を有していないオペドクタが最新技術を身につけたドメスティック／ワールドワイドドクタの支援をリアルタイムに受けることができる。
【００９３】
また、本実施の形態によれば、Ｄ端末２０／Ｗ端末３０が手術ヘルプ応答通知を直接メディカルライト端末１０に送信し、メディカルライト端末１０がＤ端末２０／Ｗ端末３０に直接手術コンテンツを送信する。ＤＨサーバ５０を介さずに手術コンテンツを配信できるので、支援を行う医師に診療コンテンツをリアルタイムに配信することができる。従って、緊急の患者が発生した場合であっても、高度な医療技術を有していない医師が最新技術を身につけた医師の支援をリアルタイムに受けることができ、且つ支援を行う医師に診療コンテンツをリアルタイムに配信することができる
【００９４】
また、本実施の形態によれば、ＤＨサーバ５０は、手術ヘルプ要請を受信した場合に、所定の条件に合致するドメスティックドクタを自動検索し、条件に合致するドメスティックドクタが存在しない場合には、所定の条件に合致するワールドワイドドクタを自動検索する。そのため、最新技術を身につけた日本国内の医師の支援を受けられない場合には、最新技術を身につけた海外の医師の支援を受けることができる。従って、日本国内の医師のみを自動検索する場合と比較して、医師が手術支援を受けることができる可能性を高めることができる。
【００９５】
また、本実施の形態によれば、メディカルライト端末１０は、手術中の患者の立体画像を撮影し、立体画像を含む手術コンテンツをＤ端末２０／Ｗ端末３０に送信する。患者の様子を立体画像で確認することができるので、ドメスティック／ワールドワイドドクタに、手術中の患者の体内の様子を奥行きや深さを表現して伝えることができる。
【産業上の利用可能性】
【００９６】
本発明による診療コンテンツ配信システムは、高度な医療技術を有していない医師が、診療の支援を受けるための遠隔診療サービスに適用することができる。また、緊急の患者が発生した場合でも、診療コンテンツ配信システムを用いて、専門分野の医師からリアルタイムに支援を受けることができる。
【図面の簡単な説明】
【００９７】
【図１】本発明による診療コンテンツ配信システムの構成の一例を示すブロック図である。
【図２】メディカルライト端末１０が備える機能、およびメディカルライト端末１０の利用環境のイメージを示す説明図である。
【図３】Ｄ端末２０の利用環境のイメージを示す説明図である。
【図４】Ｗ端末３０の利用環境のイメージを示す説明図である。
【図５】ＤＨサーバ５０が備えるデータベースの格納状態を示す説明図である。
【図６】ホスピタルデータベース２０１が記憶する情報の内容の例を示す説明図である。
【図７】ドメスティックドクタデータベース２０２が記憶する情報の内容の例を示す説明図である。
【図８】ワールドワイドドクタデータベース２０３が記憶する情報の内容の例を示す説明図である。
【図９】ドメスティックドクタまたはワールドワイドドクタを検索して手術支援を依頼する支援依頼処理の処理経過の一例を示す流れ図である。
【図１０】手術コンテンツおよび手術指示を配信する配信処理、および手術後の処置の指示を行う術後処理の処理経過の一例を示す流れ図である。
【符号の説明】
【００９８】
１０  メディカルライト端末
２０  Ｄ端末
３０  Ｗ端末
５０  ＤＨサーバ
１００  通信ネットワーク
２０１  ホスピタルデータベース
２０２  ドメスティックドクタデータベース
２０３  ワールドワイドドクタデータベース
【図１】
2005173785.tif 000003
【図５】
2005173785.tif 000004
【図６】
2005173785.tif 000005
【図７】
2005173785.tif 000006
【図８】
2005173785.tif 000007
【図９】
2005173785.tif 000008
【図１０】
2005173785.tif 000009
【図２】
2005173785.tif 000010
【図３】
2005173785.tif 000011
【図４】
2005173785.tif 000012